(57)【特許請求の範囲】
【請求項１】
画像を表示する表示部と、
複数の前記画像それぞれに対応付けて当該画像に関連する記号列を記憶する記憶部と、
数字および文字が各々に割り当てられている複数の入力キーを有する操作部と、
前記表示部に複数の前記画像が表示された状態で、前記入力キーのうちいずれかが操作されると、当該入力キーに割り当てられている数字および文字を表示部に表示し、表示されている当該数字または当該文字が対応付けて記憶されている文字列の一部に含まれている前記画像を前記表示部に表示させることが可能な制御部と、
を備える、携帯電子機器。
【請求項２】
前記制御部は、前記表示部に表示されている前記数字および文字のいずれか一方が選択されると、選択された一方が対応付けて記憶されている文字列の一部に含まれている前記画像を前記表示部に表示させる、請求項１に記載の携帯電子機器。
【請求項３】
前記表示部は、前記入力キーにより入力された文字を表示する文字表示領域と、当該文字を含む記号列に対応付けて記憶される画像または当該画像に関する情報を表示する画像表示領域とを含み、
前記制御部は、前記表示部に複数の前記画像が表示された状態で、前記入力キーのうちいずれかが操作された場合に、操作された入力キーに割り当てられる前記文字を前記文字表示領域に表示させると共に、前記記憶部に記憶される記号列であって、表示される文字を含む記号列に対応付けて記憶される画像または当該画像に関する情報を前記画像表示領域に表示させる、請求項１または請求項２に記載の携帯電子機器。
【請求項４】
前記記憶部に記憶される記号列は、対応付けて記憶される前記画像を取得した日付情報であり、
前記制御部は、前記表示部に複数の前記画像が表示された状態で、前記入力キーのうちいずれかが操作された場合に、操作された入力キーに割り当てられる数字を前記表示部に表示させると共に、前記記憶部に前記画像に対応付けて記憶される日付情報であって表示される数字を含む日付情報に対応付けて記憶される画像を前記表示部に表示する、請求項１から請求項３のいずれかに記載の携帯電子機器。
【発明の詳細な説明】
【技術分野】
【０００１】
本発明は、複数の画像を表示可能な携帯電話機、ＰＤＡ等の携帯電子機器及びその表示制御方法に関する。
【背景技術】
【０００２】
携帯電子機器は、複数の画像を表示する表示部と、表示部に表示させるための複数の画像のうち所望の画像を方向指定操作等により選択する操作部を備えるものがあった（例えば、特許文献１を参照）。
【先行技術文献】
【特許文献】
【０００３】
【特許文献１】特開２０００−１３８８８３号公報
【発明の概要】
【発明が解決しようとする課題】
【０００４】
ここで、従来技術においては、表示部に表示させるための複数の画像のうち所望の画像を選択して表示させるには、複数の画像の中から所望の画像を操作部の方向指定操作等により探し出して選択しなければならなかった。特に、表示させるための画像が多ければ多いほど表示部の一画面に収めることができず、画面の切り替えを行う等、操作部による操作回数が多くなってしまい、煩わしいという問題が生じていた。
【０００５】
本発明はかかる課題を解決するために、表示部に表示させるための複数の画像のうち所望の画像を容易に選択して表示させることが可能な携帯電子機器及びその表示制御方法を提供することを目的とする。
【課題を解決するための手段】
【０００６】
本発明に係る携帯電子機器は、上記課題を解決するために、画像を表示する表示部と、複数の前記画像それぞれに対応付けて当該画像に関連する記号列を記憶する記憶部と、記号の入力を行う操作部と、前記表示部に複数の前記画像が表示された状態で、前記記憶部に前記画像に対応付けて記憶される記号列の少なくとも一部が前記操作部により入力された場合に、当該記号列に対応付けて記憶される前記画像を前記表示部に表示させる制御部と、を備えることを特徴とする。
【０００７】
また、上記携帯電子機器では、前記操作部は、文字が割り当てられる複数のキーを有し、前記制御部は、前記表示部に複数の前記画像が表示された状態で、前記操作部のうちいずれかのキーが操作された場合に、操作されたキーに割り当てられる前記文字を前記表示部に表示させると共に、表示される前記文字が前記記憶部に前記画像に対応付けて記憶される記号列の少なくとも一部である場合に、当該記号列に対応付けて記憶される前記画像を前記表示部に表示させてもよい。
【０００８】
また、上記携帯電子機器では、前記表示部は、前記操作部により入力された文字を表示する文字表示領域と、当該文字を含む記号列に対応付けて記憶される画像または当該画像に関する情報を表示する画像表示領域とを含み、前記制御部は、前記表示部に複数の前記画像が表示された状態で、前記操作部のうちいずれかのキーが操作された場合に、操作されたキーに割り当てられる前記文字を前記文字表示領域に表示させると共に、前記記憶部に記憶される記号列であって、表示される文字を含む記号列に対応付けて記憶される画像または当該画像に関する情報を前記画像表示領域に表示させてもよい。
【０００９】
また、上記携帯電子機器では、前記操作部は、数字が割り当てられる複数のキーを有し、前記記憶部に記憶される記号列は、対応付けて記憶される前記画像を取得した日付情報であり、前記制御部は、前記表示部に複数の前記画像が表示された状態で、前記操作部のうちいずれかのキーが操作された場合に、操作されたキーに割り当てられる数字を前記表示部に表示させると共に、前記記憶部に前記画像に対応付けて記憶される日付情報であって表示される数字を含む日付情報に対応付けて記憶される画像を前記表示部に表示してもよい。
【００１０】
また、上記携帯電子機器では、前記操作部は、数字と共に文字が割り当てられており、前記制御部は、前記表示部に複数の前記画像が表示された状態で、前記操作部のうちいずれかのキーが操作され、操作されたキーに割り当てられる数字が前記記憶部に前記画像に対応付けて記憶される前記日付情報の少なくとも一部である場合に、当該日付情報に対応して記憶される前記画像を前記表示部に表示させると共に、操作されたキーに割り当てられる文字が前記記憶部に前記画像に対応付けて記憶される前記記号列の少なくとも一部である場合に、当該記号列に対応付けて記憶される前記画像を前記表示部に表示させてもよい。
【００１１】
また、本発明に係る携帯電子機器の表示制御方法は、上記課題を解決するために、画像を表示するステップと、複数の前記画像それぞれに対応付けて当該画像に関連する記号列を記憶するステップと、記号の入力を行うステップと、複数の前記画像が表示された状態で、前記画像に対応付けて記憶される記号列の少なくとも一部が入力された場合に、入力された記号列に対応付けて記憶される前記画像を表示するステップと、を有することを特徴とする。
【発明の効果】
【００１２】
本発明によれば、表示部に表示させるための複数の画像のうち所望の画像を容易に選択して表示させることが可能となる。
【図面の簡単な説明】
【００１３】
【図１】図１は、本発明における携帯電子機器の一例である携帯電話機１の外観正面図である。
【図２】図２は、携帯電話機１の機能の概略構成を示す機能ブロック図である。
【図３】図３は、本発明に係る第１の実施形態における携帯電話機１の動作を説明するための説明図である。
【図４】図４は、本発明に係る第２の実施形態における携帯電話機１の動作を説明するための説明図である。
【図５】図５は、本発明に係る第３の実施形態における携帯電話機１の動作を説明するための説明図である。
【図６】図６は、本発明に係る第４の実施形態における携帯電話機１の動作を説明するための説明図である。
【図７】図７は、本発明に係る実施形態において、画像と当該画像に対応付けて記憶される記号列の一例を示す図である。
【図８】図８は、本発明に係る実施形態における携帯電話機１の処理動作を説明するためのフローチャートである。
【発明を実施するための形態】
【００１４】
以下、図面を用いて本発明を実施するための最良の形態について説明する。
図１は、本発明に係る携帯電子機器の一例である携帯電話機１の外観正面図である。なお、図１は、操作部１１を有する操作部側筐体２と表示部１３を有する表示部側筐体３の２つの筐体からなるいわゆる折り畳み型の携帯電話機１の形態を示しているが、本発明に係る携帯電子機器の形態としては特にこれに限られない。例えば、操作部側筐体２と表示部側筐体３の両筐体を重ね合わせた状態から一方の筐体を一方向にスライドさせるようにしたスライド式や、重ね合わせ方向に沿う軸線を中心に一方の筐体を回転させるようにした回転式（ターンタイプ）や、操作部１１と表示部１３とが１つの筐体に配置され、連結部を有さない形式（ストレープタイプ、フリップタイプ）でも良い。
【００１５】
携帯電話機１は、操作部側筐体２と、表示部側筐体３とを備え、操作部側筐体２と表示部側筐体３とはヒンジ機構を備える連結部４を介して連結される。ユーザは連結部４を介して連結された操作部側筐体２と表示部側筐体３とを、相対的に動かすことにより操作部側筐体２と表示部側筐体３とを折り畳んだ状態（閉状態）にしたり、操作部側筐体２と表示部側筐体３とを互いに開いた状態（開状態）にしたりすることが可能となる。
【００１６】
操作部側筐体２は、操作部１１と、マイクロフォン１２（以下、マイク１２という。）と、を有する。
【００１７】
操作部１１は、数字、文字、英字等を含む記号や数字列、文字列、英字列等を含む記号列を入力するための入力キー１１Ａと、電話帳アプリケーション、メールアプリケーション、Ｗｅｂアプリケーション等の各アプリケーションを実行させるためのアプリケーション実行キー１１Ｂと、各種操作における決定や上下左右への方向指定を行わせるための決定操作キー１１Ｃと、を含んで構成される。各キーは起動しているアプリケーションの種類に応じて所定の機能が割り当てられており、ユーザが各キーを操作、すなわち押圧することにより、当該操作されたキーに割り当てられる機能に応じた動作が実行される。
【００１８】
例えば、通信の待ち受け状態であって所定のアプリケーションが起動していない状態、すなわち、表示部１３に初期画面（待ち受け画面ともいう。）が表示されている状態において、入力キー１１Ａのうちいずれかのキーが操作されると、操作されたキーに割り当てられる数字が入力表示され、入力された数字を用いて発信処理を行うことが可能となる。また、表示部１３に所定のアプリケーションに基づく画面、例えば、メールアプリケーションに基づく文字入力画面が表示されている状態において、入力キー１１Ａのうちいずれかのキーが操作されると、操作されたキーに割り当てられる数字、文字、英字等であって、予め設定されたいずれかの記号が入力される。
【００１９】
さらに、表示部１３に複数の画像が表示されている状態において、入力キー１１Ａのうちいずれかのキーが操作されると、操作されたキーに割り当てられる数字、文字、英字等であって、予め設定されたいずれかの記号が入力される。このようにして入力された記号が表示部１３に表示される場合に、図３に示すように、複数の画像の表示に重ねて文字等記号の入力を行う記号列入力領域１００を表示させても良いし、複数の画像の表示を解除して文字等記号の入力を行う記号列入力領域１００を表示させても良い。また、表示部１３に複数の画像が表示されている状態において、表示された複数の画像のうちいずれかの画像が選択されている場合に（例えば、複数の画像のうち所定の画像にカーソルがあたっている状態）、決定操作キー１１Ｃによる方向指定操作が行われると、操作されたキーに割り当てられる方向に応じて選択される画像（カーソルがあたる画像）を変更する。
【００２０】
ここで、画像とは、携帯電話機１のデータフォルダに格納されている画像（静止画、動画含む）があげられる。具体的には、携帯電話機１に備えられる不図示の撮像部により撮影して取得した画像やインターネットを介して取得した画像があげられる。また、画像として、メールアプリケーションにおいて文字入力の際に用いられる絵文字やデコレーション絵文字や携帯電話機１の操作メニュー等を表すアイコンを含む。
【００２１】
マイク１２は、ユーザが通話時に発した音声が入力されるマイクの機能を有する。
【００２２】
なお、操作部側筐体２の側面には外部機器（例えば、ホスト装置）と通信を行うためのインターフェースと、所定の機能が割り当てられているサイドキーと、外部メモリの挿入及び取り出しが行われるインターフェースとが、設けられている（図示せず）。
【００２３】
表示部側筐体３は表示部１３とスピーカ１４とを有する。
【００２４】
表示部１３は、各種情報を表示するためのものであり、ＬＣＤ（Ｌｉｑｕｉｄ  Ｃｒｙｓｔａｌ  Ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅ）が採用される。表示部１３には、通信の待受け状態であって所定のアプリケーションが起動していない状態には初期画面（待ち受け画面ともいう。）が表示され、所定のアプリケーションが起動している場合には、当該アプリケーションの動作に基づく画面が表示される。例えば、通信の待ち受け状態においては、予め設定されている初期画面が表示され、複数の画像を表示させた状態においては、複数の画像が表示される。
【００２５】
スピーカ１４は、通話時の相手側の音声を出力するレシーバの機能を有する。
【００２６】
図２は、携帯電話機１の機能の概略構成を示す機能ブロック図である。携帯電話機１は、図２に示すように、操作部１１（入力キー１１Ａ、アプリケーション実行キー１１Ｂ、決定操作キー１１Ｃを含む。）と、マイク１２と、表示部１３と、スピーカ１４とが備えられ、内部には制御部２１と、ＬＣＤ制御部２２と、メインアンテナ３１と、ＲＦ回路部３２と、音声処理部３３と、記憶部３４と、を備えている。
【００２７】
制御部２１は、携帯電話機１の全体を制御しており、中央処理装置（ＣＰＵ）等を用いて構成される。そして、ＬＣＤ制御部２２、音声処理部３３、記憶部３４に対して所定の制御を行う。制御部２１の具体的な処理については後述する。
【００２８】
ＬＣＤ制御部２２は、制御部２１の制御に従って、所定の画像処理を行い、処理後の画像データを不図示のドライバＩＣに出力する。ドライバＩＣは、ＬＣＤ制御部２２から供給された画像データを不図示のフレームメモリに蓄え、所定のタイミングで表示部１３に出力する。
【００２９】
メインアンテナ３１は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド構成である。なお、本発明に係る実施形態においては、第１の使用周波数帯として、８００ＭＨｚとしているが、これ以外の周波数帯であっても良い。また、メインアンテナ３１は第１の使用周波数帯で外部装置（基地局）と通信を行い、ＧＰＳ通信のための第２の使用周波数帯に対応できるアンテナを別途設けても良い。
【００３０】
ＲＦ回路部３２は、メインアンテナ３１によって受信した信号を復調処理し、処理後の信号を制御部２１に供給する。そして、制御部２１から供給された信号を復調処理し、メインアンテナ３１を介して外部装置に送信する。また、その一方で、メインアンテナ３１によって受信している信号の強度を制御部２１に通知する。
【００３１】
音声処理部３３は、制御部２１の制御に従って、ＲＦ回路部３２から供給された信号に対して所定の音声処理を行い、処理後の信号をスピーカ１４に出力する。スピーカ１４は、音声処理部３３から供給された信号を外部に出力する。
【００３２】
また、音声処理部３３は、制御部２１の制御に従って、マイク１２から入力された信号を処理し、処理後の信号をＲＦ回路部３２に出力する。ＲＦ回路部３２は、音声処理部３３から供給された信号に所定の処理を行い、処理後の信号をメインアンテナ３１に供給し、メインアンテナ３１により電波として外部に出力させる。
【００３３】
記憶部３４は、例えば、ワーキングメモリを含み、制御部２１による演算処理に利用される。また、記憶部３４には、携帯電話機１上で動作する複数のアプリケーションが利用するデータやテーブル等が記憶されている。なお、記憶部３４は、着脱可能な外部メモリであってもよい。
【００３４】
また、記憶部３４には、携帯電話機１に備えられる不図示の撮像部により撮影して取得した画像やインターネットを介して取得した画像を含む複数の画像を格納するデータフォルダを記憶している。データフォルダには、メールアプリケーションにおいて文字入力の際に用いられるデコレーション絵文字も格納されている。
【００３５】
また、記憶部３４が記憶するデータフォルダに格納されている複数の画像それぞれに対応付けて当該画像に関連する記号列を記憶している。記号列の具体例は、画像として撮影して取得した画像を例にあげるのであれば、記号列として画像を撮影した日時、撮影した画像のタイトル、画像を撮影した場所、撮影した画像の属性（静止画、動画）、撮影した画像に対するメモがあげられる。記号列は画像を撮影した際に自動入力されて設定されていても良いし、画像を撮影した後にユーザが操作部１１の操作により入力して設定しても良い。例えば、画像を撮影した日時は画像を撮影した際に、携帯電話機１が有する日付情報により取得し、画像を撮影した場所は画像を撮影した際に、携帯電話機１に備えられる不図示のＧＰＳ（Ｇｌｏｂａｌ  Ｐｏｓｉｔｉｏｎｉｎｇ  Ｓｙｓｔｅｍ）により取得し、自動入力され、設定されることが可能となる。
【００３６】
さらに、記憶部３４には、メールアプリケーションにおいて文字入力の際に用いられる絵文字やデコレーション絵文字、携帯電話機１の操作メニューを表すアイコンを画像として記憶する。
【００３７】
また、記憶部３４が記憶する絵文字やデコレーション絵文字、アイコンの画像それぞれに対応付けて当該画像に関連する記号列を記憶している。記号列の具体例は、画像としてデコレーション絵文字を例にあげるのであれば、記号列として画像を取得した日時、取得した或いはデフォルトで記憶している画像のタイトル、取得した或いはデフォルトで記憶している画像の属性（静止画、動画等）、取得した或いはデフォルトで記憶している画像に対するメモがあげられる。記号列は画像を取得した際に自動入力されて設定されていても良いし、画像を取得した後にユーザが操作部１１の操作により入力して設定しても良い。例えば、画像を取得した日時は画像を取得した際に、携帯電話機１が有する日付情報により取得し、自動入力され、設定されることが可能である。
【００３８】
ところで、複数の画像が表示部１３に表示された状態において、特に、表示させるための画像が多く、表示部１３の一画面に収めることができない場合に、複数の画像のうち所望の画像を選択して表示するには、画面の切り替えを行い複数の画像の中から操作部１１の方向指定操作により所望の画像を探し出して選択しなければならず、操作が煩わしかった。
【００３９】
そこで、上記のような問題点を解決すべく、本実施形態に係る制御部２１は、次のような制御を行う。すなわち、制御部２１は、表示部１３に複数の画像が表示された状態で、記憶部２４に前記画像に対応付けて記憶される記号列の少なくとも一部が操作部１１により入力された場合に、入力された記号列に対応付けて記憶される前記画像を表示部１３に表示させる。
【００４０】
具体例として、携帯電話機１に備えられる不図示の撮像部により撮影して取得した画像を画像Ａとし、画像Ａを撮影した日時を２００２年８月７日、画像Ａを撮影した場所を箱根とし、撮影した画像Ａのタイトルを温泉旅行としてそれぞれの記号列が画像Ａに対応付けて記憶部３４に記憶されているとする。そして、画像Ａが複数の画像として携帯電話機１のデータフォルダに格納されているとする。かかる前提の下、携帯電話機１のデータフォルダに格納されている画像Ａを含む複数の画像が表示部１３に表示されている状態において、操作部１１の入力キー１１Ａにより、「はこね」或いは「箱根」と入力した場合に、記憶部２４に記憶されている記号列として画像Ａを撮影した場所である箱根が入力されたと判断し、入力された記号列に対応付けて記憶されている画像Ａを表示部１３に表示させる。
【００４１】
このようにして、ユーザは表示部１３に表示させるための複数の画像のうち所望の画像を容易に選択して表示させることが可能となる。
【００４２】
はじめに、図３を用いて本発明に係る第１の実施形態について説明する。本実施形態における特徴は、（１）画像を表示する表示部１３と、（２）複数の前記画像それぞれに対応付けて当該画像に関連する記号列を記憶する記憶部３４と、（３）記号列の入力を行う操作部１１と、（４）前記表示部１３に複数の前記画像が表示された状態で、前記記憶部２４に前記画像に対応付けて記憶される記号列の少なくとも一部が前記操作部１１により入力された場合に、当該記号列に対応付けて記憶される前記画像を前記表示部１３に表示させる制御部２１と、を備えることにある。
【００４３】
本発明に係る第１の実施形態について図３を用いて具体的に説明する。まず、前提として本実施形態においては、携帯電話機１のデータフォルダに画像Ａが格納されており、当該画像Ａに対応付けて記憶部３４に記憶される記号列は画像Ａを取得した場所である「箱根」である。図３（a）に示すように、携帯電話機１のデータフォルダに格納された画像Ａを含む複数の画像のうち、９枚の画像が表示されている。そして、９枚の画像のうち上の段の左から２番目の画像がカーソルにより選択された状態となっている。ここで、データフォルダに格納される複数の画像は表示された９枚の画像だけでなく、操作部１１の決定操作キー１１Ｃによる方向指定操作で、例えば、下方向に操作していくことにより、表示された９枚の画像が切り替わり、異なる９枚の画像を表示させることが可能となる。
【００４４】
かかる状態において、操作部１１の入力キー１１Ａの操作により記号列を入力する操作が行われると、記号列入力領域１００に当該操作に応じた記号列が入力されこととなる。本実施形態においては、操作部１１の入力キー１１Ａの操作として、「は」が割り当てられるキーを１回、「か」が割り当てられるキーを５回、「な」が割り当てられるキーを４回操作されることにより、当該操作に応じて「はこね」という文字列が入力され、漢字変換を行うことによって、図３（b）に示すように、「箱根」という文字列が記号列入力領域１００に表示される。なお、「箱根」という文字列は、本実施形態において便宜的に記号列入力領域１００に表示させているが、必ずしも表示させる必要はなく、操作部１１の操作により入力されていれば良い。
【００４５】
そして、図３（b）に示すように、記号列入力領域１００に入力表示された「箱根」という文字列が記憶部３４に記憶された記号列と一致すると判定された状態で、決定キー等の操作を行うと、図３（c）に示すように、「箱根」という文字列に対応付けて記憶部３４に記憶された画像Ａが表示部１３に表示される。ここで、「箱根」という文字列が入力表示された状態で決定キー等の操作を行なわなくとも入力表示された「箱根」という文字列が記憶部３４に記憶された記号列と一致すると判定された状態で、自動的に「箱根」という文字列に対応付けて記憶部３４に記憶された画像Ａを表示部１３に表示させても良い。
【００４６】
ここで、記号列入力領域１００に入力される記号列は、画像に対応付けて記憶部３４に記憶される記号列と全部一致するものでなくとも、少なくとも一部であればよい。例えば、操作部１１の入力キー１１Ａの操作として「は」が割り当てられるキーを１回、「か」が割り当てられるキーを５回操作されることにより、「はこ」という文字列が入力表示された状態であっても、記憶部３４に記憶された記号列「箱根」の少なくとも一部であると判定して、「箱根」という記号列に対応付けて記憶部３４に記憶された画像Ａを表示部１３に表示させても良い。このように、操作部１１により入力された文字又は文字列と記憶部３４に画像に対応付けて記憶される記号列との比較を行い、入力された文字又は文字列が記号列の少なくとも一部である場合に、当該記号列に対応付けて記憶される画像を表示部１３に表示させる。
【００４７】
また、本実施形態においては、携帯電話機１のデータフォルダに格納されている画像を例としてあげたが、これに限られず、メールアプリケーションにおける文字入力の際に用いられる絵文字やデコレーション絵文字、携帯電話機１の操作メニューを表すアイコンを画像として複数の画像を表示部１３に表示させる場合であってもよい。
【００４８】
このようにして、ユーザは表示部１３に表示させるための複数の画像のうち所望の画像を当該画像に対応付けて記憶される記号列を操作部１１により入力するだけで容易に選択して表示させることが可能となる。
【００４９】
次に、図４を用いて本発明に係る第２の実施形態について説明する。本実施形態における特徴は、（１）操作部１１は、文字が割り当てられる複数のキーを有し、（２）表示部１３は、前記操作部１１により入力された文字を表示する文字表示領域２００と、当該文字を含む記号列に対応付けて記憶される画像または当該画像に関する情報を表示する画像表示領域３００とを含み、（２）制御部２１は、表示部１３に複数の画像が表示された状態で、操作部１１のうちいずれかのキーが操作された場合に、操作されたキーに割り当てられる前記文字を前記文字表示領域２００に表示させると共に、記憶部２４に記憶される記号列であって、表示される文字を含む記号列に対応付けて記憶される画像または当該画像に関する情報を前記画像表示領域３００に表示させることにある。
【００５０】
本発明に係る第２の実施形態について図４を用いて具体的に説明する。まず、前提として本実施形態においては、携帯電話機１のデータフォルダに画像Ａ、画像Ｂ、画像Ｃが格納されており、当該画像Ａ、画像Ｂ、画像Ｃに対応付けて記憶部３４に記憶される記号列は画像Ａ、画像Ｂ、画像Ｃを撮影した場所である「箱根」である。図４（a）に示すように、携帯電話機１のデータフォルダに格納された画像Ａ、画像Ｂ、画像Ｃを含む複数の画像のうち、９枚の画像が表示されている。そして、９枚の画像のうち上の段の左から２番目の画像がカーソルにより選択された状態となっている。ここで、データフォルダに格納される複数の画像は表示された９枚の画像だけでなく、操作部１１の決定操作キー１１Ｃによる方向指定操作で、例えば、下方向に操作していくことにより、表示された９枚の画像が切り替わり、異なる９枚の画像を表示させることが可能となる。
【００５１】
かかる状態において、操作部１１の入力キー１１Ａの操作により記号列を入力する操作が行われると、文字入力領域２００に当該操作に応じた文字が入力されこととなる。ここで、操作部１１の入力キー１１Ａには、それぞれ文字が割り当てられているが、本実施形態においては、操作されたキーに割り当てられる文字を文字入力領域２００に表示する。具体的には、図４（b）に示すように、操作部１１の入力キー１１Ａの操作として、「は」が割り当てられるキーを１回、「か」が割り当てられるキーを５回、「な」が割り当てられるキーを４回操作されることにより、当該操作に応じて「はこね」という文字列が入力され、漢字変換を行うことによって、「箱根」という文字列が文字入力領域２００に表示される。なお、本実施形態においては、操作されたキーに割り当てられる文字が文字入力領域２００に入力表示されることが前提となっている。
【００５２】
そして、図４（b）に示すように、文字入力領域２００に入力表示された「箱根」という文字列が記憶部３４に記憶された記号列と一致すると判定された状態で、決定キー等の操作を行うと、「箱根」という文字列に対応付けて記憶部３４に記憶された画像Ａ、画像Ｂ、画像Ｃが画像表示領域３００に表示される。ここで、「箱根」という文字列が入力された状態で決定キー等の操作を行なわなくとも入力表示された「箱根」という文字列が記憶部３４に記憶された記号列と一致すると判定された状態で、自動的に「箱根」という文字列に対応付けて記憶部３４に記憶された画像Ａ、画像Ｂ、画像Ｃが画像表示領域３００に表示されても良い。
【００５３】
画像表示領域２００に画像Ａ、画像Ｂ、画像Ｃが表示された状態で、例えば、操作部１１の決定操作キー１１Ｃの操作により選択して表示させるための画像を選択する。そして、かかる操作により選択された画像である画像Ａが、図４（c）に示すように表示部１３に表示される。
【００５４】
ここで、文字入力領域１００に入力される文字は、画像に対応付けて記憶部３４に記憶される記号列と全部一致するものでなくとも、少なくとも一部であればよい。例えば、操作部１１の入力キー１１Ａの操作として「は」が割り当てられるキーを１回、「か」が割り当てられるキーを５回操作されることにより、「はこ」という文字列が入力された状態であっても、「箱根」に対応付けて記憶部３４に記憶された画像Ａ、画像Ｂ、画像Ｃを画像表示領域３００に表示しても良い。このように、操作部１１により入力された文字又は文字列と記憶部３４に画像に対応付けて記憶される記号列との比較を行い、入力された文字又は文字列が記号列の少なくとも一部である場合に、当該記号列に対応付けて記憶される画像を表示部１３に表示させる。
【００５５】
また、本実施形態においては、携帯電話機１のデータフォルダに格納されている画像を例としてあげたが、これに限られず、メールアプリケーションにおける文字入力の際に用いられる絵文字やデコレーション絵文字、携帯電話機１の操作メニューを表すアイコンを画像として複数の画像を表示部１３に表示させた場合であってもよい。
【００５６】
このようにして、ユーザは表示部１３に表示させるための複数の画像のうち所望の画像を当該画像に対応付けて記憶される記号列を操作部１１により入力するだけで、所望の画像を表示させ、容易に選択して表示させることが可能となる。
【００５７】
次に、図５を用いて本発明に係る第３の実施形態について説明する。本実施形態における特徴は、（１）操作部１１は、数字が割り当てられる複数のキーを有し、（２）（２）記憶部３４に記憶される記号列は、対応付けて記憶される画像を取得した日付情報であり、（３）制御部２１は、表示部１３に複数の画像が表示された状態で操作部１１のうちいずれかのキーが操作された場合に、操作されたキーに割り当てられる数字を前記表示部１３に表示させると共に、前記記憶部３４に記憶される日付情報であって、表示される数字を含む日付情報に対応付けて記憶される画像を表示部１３に表示させることにある。
【００５８】
本発明に係る第３の実施形態として、図５を用いて具体的に説明する。まず、前提として本実施形態においては、携帯電話機１のデータフォルダに画像Ａが格納されており、当該画像Ａに対応付けて記憶部３４に記憶される記号列は画像を撮影した日時である「０２８７（２００２年８月７日）」である。図５（a）に示すように、携帯電話機１のデータフォルダに格納された画像Ａを含む複数の画像のうち、９枚の画像が表示されている。そして、９枚の画像のうち上の段の左から２番目の画像がカーソルにより選択された状態となっている。ここで、データフォルダに格納される複数の画像は表示された９枚の画像だけでなく、操作部１１の決定操作キー１１Ｃによる方向指定操作で、例えば、下方向に操作していくことにより、表示された９枚の画像が切り替わり、異なる９枚の画像を表示させることが可能となる。
【００５９】
かかる状態において、操作部１１の入力キー１１Ａの操作により記号列を入力する操作が行われると、文字入力領域２００及び数字入力領域４００に当該操作に応じた文字及び数字が入力されこととなる。ここで、操作部１１の入力キー１１Ａには文字及び数字が割り当てられているが、本実施形態においては、操作されたキーに割り当てられる文字を文字入力領域２００に、操作されたキーに割り当てられる数字を数字入力領域４００に表示する。具体的には、図５（b）に示すように、操作部１１の入力キー１１Ａの操作として、「わ」と「０」が割り当てられるキーを１回、「か」と「２」が割り当てられるキーを１回、「や」と「８」が割り当てられるキーを１回、「ま」と「７」が割り当てられるキーを１回操作することにより、文字入力領域２００に「わかやま」という文字が、数字入力領域４００に「０２８７」という数字が表示される。
【００６０】
そして、図５（b）に示すように、文字入力領域２００に「わかやま」という文字が、数字入力領域４００に「０２８７」という数字が入力表示された状態で、例えば、操作部１１の決定操作キー１１Ｃの方向指定操作で下方向に操作すると、数字入力領域４００がカーソルにより選択された状態となる。ここで、選択された数字入力領域４００に入力表示される「０２８７」という数字が記憶部３４に記憶された記号列に一致すると判定された状態で、決定キー等の操作を行うと、「０２８７」という記号列に対応付けて記憶部３４に記憶された画像Ａが、図５（c）に示すように表示部１３に表示される。
ここで、「０２８７」という数字が入力された状態で決定キー等の操作を行わなくとも入力表示された「０２８７」という数字が記憶部３４に記憶された記号列と一致すると判定された状態で、自動的に「０２８７」という数字に対応付けて記憶部３４に記憶された画像Ａが表示部１３に表示されても良い。
【００６１】
ここで、数字入力領域４００に入力される数字は、画像に対応付けて記憶部３４に記憶される記号列と全部一致するものでなくとも、少なくとも一部であればよい。例えば、操作部１１の入力キー１１Ａの操作として「わ」と「０」が割り当てられるキーを１回、「か」と「２」が割り当てられるキーを１回操作されることにより、「０２」という数字が入力された状態であっても、「０２」に対応付けて記憶部３４に記憶された画像（例えば、２００２年に撮影して取得した画像全て）を表示部１３に表示しても良い。
このように、操作部１１により入力された数字又は数字列と記憶部３４に画像に対応付けて記憶される記号列との比較を行い、入力された数字又は数字列が記号列の少なくとも一部である場合に、当該記号列に対応付けて記憶される画像を表示部１３に表示させる。
【００６２】
また、本実施形態においては、携帯電話機１のデータフォルダに格納されている画像を例としてあげたが、これに限られず、メールアプリケーションにおける文字入力の際に用いられる絵文字やデコレーション絵文字、携帯電話機１の操作メニューを表すアイコンを画像として複数の画像を表示部１３に表示させた場合であってもよい。
【００６３】
本実施形態において、操作部１１の入力キー１１Ａが操作されると、操作されたキーに割り当てられる文字を文字入力領域２００に入力表示させると共に、操作されたキーに割り当てられる数字を数字入力領域４００に入力表示させることとしているが、これに限られず、操作されたキーに割り当てられる数字のみを数字入力領域４００に入力表示させることとしても良い。
【００６４】
このようにして、ユーザは表示部１３に表示させるための複数の画像のうち所望の画像を当該画像に対応付けて記憶される日付情報を操作部１１により数字として入力するだけで、容易に選択して表示させることが可能となる。
【００６５】
次に、図６を用いて本発明に係る第４の実施形態について説明する。本実施形態における特徴は、（１）操作部１１は、文字及び数字が割り当てられる複数のキーを有し、（２）記憶部３４に記憶される記号列は、対応付けて記憶される画像を取得した日付情報であり、（３）制御部２１は、表示部１３に複数の画像が表示された状態で、操作部１１のうちいずれかのキーが操作され、操作されたキーに割り当てられる数字が記憶部３４に画像に対応付けて記憶される日付情報の少なくとも一部である場合に、日付情報に対応して記憶される画像を表示部１３に表示させると共に、操作されたキーに割り当てられる文字が記憶部３４に画像に対応付けて記憶される記号列の少なくとも一部である場合に、当該記号列に対応付けて記憶される画像を表示部１３に表示させることにある。
【００６６】
本発明に係る第４の実施形態として、図６を用いて具体的に説明する。まず、前提として本実施形態においては、携帯電話機１のデータフォルダに画像Ａ、画像Ｂ、画像Ｃ、画像Ｄが格納されており、当該画像Ａ、画像Ｂ、画像Ｃに対応付けて記憶部３４に記憶される記号列は画像を撮影した場所である「箱根」であり、画像Ｄに対応付けて記憶部３４に記憶される記号列は画像を撮影した場所である「和歌山」である。図６（a）に示すように、携帯電話機１のデータフォルダに格納された画像Ａ、画像Ｂ、画像Ｃ、画像Ｄを含む複数の画像のうち、９枚の画像が表示されている。そして、９枚の画像のうち上の段の左から２番目の画像がカーソルにより選択された状態である。ここで、データフォルダに格納される複数の画像は表示された９枚の画像だけでなく、操作部１１の決定操作キー１１Ｃによる方向指定操作で、例えば、下方向に操作していくことにより、表示された９枚の画像が切り替わり、異なる９枚の画像を表示させることが可能となる。
【００６７】
かかる状態において、操作部１１の入力キー１１Ａの操作により記号列を入力する操作が行われると、文字入力領域２００及び数字入力領域４００に当該操作に応じた文字及び数字が入力されることとなる。ここで、操作部１１の入力キー１１Ａにはそれぞれ文字及び数字が割り当てられているが、本実施形態においては、操作されたキーに割り当てられる文字を文字入力領域２００に、操作されたキーに割り当てられる数字を数字入力領域４００に表示する。具体的には、図６（b）に示すように、操作部１１の入力キー１１Ａの操作として、「わ」と「０」が割り当てられるキーを１回、「か」と「２」が割り当てられるキーを１回、「や」と「８」が割り当てられるキーを１回、「ま」と「７」が割り当てられるキーを１回操作されることにより、文字入力領域２００に「わかやま」という文字列が、数字入力領域４００に「０２８７」という数字列が表示される。
【００６８】
そして、図６（b）に示すように、文字入力領域２００或いは数字入力領域４００に入力表示された「わかやま」或いは「０２８７」という文字列、数字列に対応付けて記憶部３４に記憶された記号列と一致すると判定された状態で、決定キー等の操作を行うと、「わかやま」或いは「０２８７」という文字列、数字列に対応付けて記憶部３４に記憶された画像Ａ、画像Ｂ、画像Ｃ、画像Ｄが図６（b）に示すように、画像表示領域３００に表示される。ここで、「わかやま」或いは「０２８７」という文字列、数字列が入力された状態で決定キー等の操作を行わなくとも入力表示された「わかやま」或いは「０２８７」という文字列、数字列が記憶部３４に記憶された記号列と一致すると判定された状態で、自動的に「わかやま」或いは「０２８７」という文字列、数字列に対応付けて記憶部３４に記憶された画像Ａ、画像Ｂ、画像Ｃ、画像Ｄが画像表示領域３００に表示されても良い。
【００６９】
画像表示領域３００に画像Ａ、画像Ｂ、画像Ｃ、画像Ｄが表示された状態で、例えば、操作部１１の決定操作キー１１Ｃの操作により選択して表示させるための画像を選択する。そして、かかる操作により選択された画像である画像Ｄが図６（c）に示すように、表示部１３に表示される。
【００７０】
ここで、文字入力領域２００或いは数字入力領域４００に入力される文字、数字は、画像に対応付けて記憶部３４に記憶される記号列と全部一致するものでなくとも、少なくとも一部であればよい。例えば、操作部１１の入力キー１１Ａの操作として「わ」と「０」が割り当てられるキーを１回、「か」と「２」が割り当てられるキーを１回操作されることにより、「わか」という文字列及び「０２」という数字列が入力された状態であっても、「わか」或いは「０２」に対応付けて記憶部３４に記憶された画像（例えば、「わか」という文字列を含む記号列に対応付けて記憶される画像全て及び２００２年に撮影して取得した画像全て）を表示部１３に表示しても良い。このように、操作部１１により入力された数字・文字又は数字列・文字列と記憶部３４に画像に対応付けて記憶される記号列との比較を行い、入力された数字・文字又は数字列・文字列が記号列の少なくとも一部である場合に、当該記号列に対応付けて記憶される画像を表示部１３に表示させる。
【００７１】
また、本実施形態においては、携帯電話機１のデータフォルダに格納されている画像を例としてあげたが、これに限られず、メールアプリケーションにおける文字入力の際に用いられる絵文字やデコレーション絵文字、携帯電話機１の操作メニューを表すアイコンを画像として複数の画像を表示部１３に表示させた場合であってもよい。
【００７２】
このようにして、ユーザは表示部１３に表示される複数の画像のうち所望の画像を当該画像に対応付けて記憶される日付情報を操作部１１により数字として入力する、或いは当該画像に対応付けて記憶される記号列を操作部１１により文字として入力するだけで、容易に選択して表示させることが可能となる。
【００７３】
図７は記憶部３４に記憶される画像と当該画像に対応付けて記憶される記号列との対応関係の一例を示す図である。図７（a）においては、撮影して取得した画像Ａと、記号列として画像を撮影した日時である「０２８７（２００２年８月７日）」、画像を撮影した場所である「箱根」、撮影画像に対するメモとして「温泉旅行」、撮影した画像の属性として「静止画」が対応付けて記憶部３４に記憶される。また、図７（b）においては、撮影して取得した画像Ｄと、記号列として画像を撮影した日時である「０３５５（２００３年５月５日）、画像を撮影した場所である「和歌山」、撮影画像に対するメモとして「みかん狩り」、撮影した画像の属性として「静止画」が対応付けて記憶部３４に記憶される。また、図７（c）においては、撮影して取得した画像Ｅと、記号列として画像を撮影した日時である「０５６１２（２００５年６月１２日）」、画像を撮影した場所である「長野」、撮影画像に対するメモとして「スノボ」、撮影した画像の属性として「動画」が対応付けて記憶部３４に記憶される。
【００７４】
次に、本発明に係る実施形態における携帯電話機１の処理動作について図８のフローチャートを用いて説明する。本フローチャートは、表示部１３に複数の画像が表示されている状態から始まる。表示部１３に、例えば、携帯電話機１のデータフォルダに格納されている複数の画像が表示されている状態において、ユーザが操作部１１の入力キー１１Ａのいずれかのキーを操作すると（ステップＳ１１：Ｙｅｓ）、操作されたキーに割り当てられる文字が複数の画像の表示に重ねて表示される文字入力領域２００に表示される（ステップＳ１２）。そして、続けて操作部１１による操作が行われ、入力された文字が記憶部３４に記憶される記号列の少なくとも一部であると判定されると（ステップＳ１３：Ｙｅｓ）、記号列に対応付けて記憶される画像の表示についてのステップＳ１４に進む。入力された文字が記憶部３４に記憶される記号列の少なくとも一部であると判定されない場合は（ステップＳ１３：Ｎｏ）、そのまま文字の入力を可能とする。
【００７５】
そして、入力された文字が記憶部３４に記憶される記号列の少なくとも一部であると判定され（ステップＳ１３：Ｙｅｓ）、記号列に対応付けて記憶部３４に記憶された画像が複数ある場合には（ステップＳ１４：Ｙｅｓ）、複数の画像を画像表示領域３００に表示させ（ステップＳ１５）、表示された複数の画像のうち選択された画像を表示部１３に表示させる（ステップＳ１６）。また、記号列に対応付けて記憶部３４に記憶された画像が単数である場合には（ステップＳ１４：Ｎｏ）、当該画像が表示部１３に表示される（ステップＳ１６）。このようにして、ユーザは表示部１３に表示させるための複数の画像のうち所望の画像を当該画像に対応付けて記憶される記号列を操作部１１により入力するだけで容易に選択して表示させることが可能となる。
【００７６】
以上により、本フローチャートは終了する。
【００７７】
上述の実施形態において、例えば、文字入力領域２００に入力表示された文字「は」を含む記号列であって、記憶部３４に記憶された記号列に対応付けて記憶される画像、すなわち「は」を含む記号列に対応する画像は全て画像表示領域３００に表示させることとしている。かかる状態において、文字入力領域２００に入力表示された「は」に続いて文字「こ」を入力させた場合に、文字列「はこ」を含む記号列に対応する画像を画像表示領域３００に表示させる。すなわち、文字「は」を含むが文字列「はこ」を含まない記号列に対応する画像の表示を解除させる。いわゆるインクリメンタルサーチを行っても良い。
【００７８】
上述の実施形態において、表示部１３に複数の画像が表示された状態で、操作部１１の入力キー１１Ａが操作されると、操作されたキーに割り当てられる文字或いは数字を入力表示させることとしているが、例えば、入力キー１１Ａに割り当てられる文字或いは数字とは異なる機能が割り当てられている場合には、記号入力を行うための操作を行うことによって（例えば、記号入力を行うための特定キーの押下）、操作されたキーに割り当てられる文字或いは数字を入力表示させても良い。
【００７９】
これまで、一実施形態としての携帯電話機等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００８０】
また、上述の実施形態において、携帯電話機を例に用いて説明したが、本発明はこれに限定されるものではない。例えば、ＰＨＳ（登録商標：Ｐｅｒｓｏｎａｌ  Ｈａｎｄｙ  ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）の他、パーソナルコンピュータやゲーム機等、様々な携帯電子機器に適用可能である。
【符号の説明】
【００８１】
１  携帯電話機
２  操作部側筐体
３  表示部側筐体
４  連結部
１１  操作部
１１Ａ  入力キー
１１Ｂ  アプリケーション実行キー
１１Ｃ  決定操作キー
１２  マイク
１３  表示部
１４  スピーカ
２１  制御部
２２  ＬＣＤ制御部
３１  メインアンテナ
３２  ＲＦ回路部
３３  音声処理部
３４  記憶部
１００  記号列入力領域
２００  文字入力領域
３００  画像表示領域
４００  数字入力領域
【図１】
0005537198.tif 000002
【図２】
0005537198.tif 000003
【図３】
0005537198.tif 000004
【図４】
0005537198.tif 000005
【図５】
0005537198.tif 000006
【図６】
0005537198.tif 000007
【図７】
0005537198.tif 000008
【図８】
0005537198.tif 000009